(57)【要約】【課題】従来の有料放送受信機で受信した番組は１台のテレビでしか再生できないし、一家で有料放送を複数のテレビで視聴する場合は複数の有料放送受信機と複数の放送信号分配工事及び複数の受信契約が必要となり、消費者にとって重い費用負担となっている。有料放送会社にとっても、上記費用がネックとなりマルチルームサービスの普及が進まない。【解決手段】有料放送受信機に複数の有料放送受信ユニットと、受信信号をベースバンド信号に変換する複数のデコーダと、ベースバンド信号を無線信号に変換する無線送信ユニットを具備させ、有料放送番組のベースバンド信号を無線で外部のテレビに送信させる。外部のテレビはＨＤＭＩ入力端子に接続された無線受信ユニットで有料放送番組を受信できるので、外部のテレビは有料放送電波の受信をすることなく、通常の有料放送契約もなしに有料放送を再生できる。【選択図】図１
2013090319.tif 000002
【特許請求の範囲】
【請求項１】
複数の有料放送受信ユニットと、該受信ユニットが受信した信号をベースバンド信号に変換する複数のデコーダと、無線送信ユニットを具備するとともに、該無線送信ユニットが該デコーダの出力信号を無線信号に変換し、外部に送信することを特徴とする有料放送受信機。
【請求項２】
有料放送受信機が地上デジタル／ＢＳ／ＣＳ放送対応テレビであり、ＨＤＭＩ入力端子に入力された信号を無線信号に変換し外部に送信することを特徴とする請求項１記載の有料放送受信機。
【発明の詳細な説明】
【技術分野】
【０００１】  本発明はＮＨＫ，ＷＯＷＯＷ，スターチャンネルやＪ−ＣＯＭに代表される有料放送を受信し、受信した放送番組を複数のディスプレイで再生できる有料放送受信機に関する。
【背景技術】
【０００２】従来の有料放送受信機であるＢＳ／ＣＳ対応テレビでは、受信した放送番組を内蔵のディスプレイでしか再生できない。ケーブルＳＴＢの場合、ＨＤＭＩ出力は一系統に限られ、接続できるテレビは一台に限られる。【０００３】ＢＳ／ＣＳ放送を受信するにはパラボラアンテナで受信した信号を複数部屋に分配する必要があるとともに、複数のＢ−ＣＡＳ契約が必要になり毎月の受信料が嵩む。
ケーブルＳＴＢの場合、複数のＳＴＢが必要となり、ケーブルの配線工事費や毎月の受信料が嵩む。【０００４】最近発売された無線アダプタをケーブルＳＴＢのＨＤＭＩ出力に接続すれば、１階と２階の二台のテレビで同じ有料放送番組を同時に再生できるが、別々の番組を同時には視聴できない。
【先行技術文献】
【非特許文献】
【０００５】
【非特許文献１】アイオーデータ社のＨＤＭＩ無線化ユニットＷＴＲ−ＨＤＡＶ／Ａ
【非特許文献２】ＨＤＭＩ規格（ｈｔｔｐ：／／ｊａ．ｗｉｋｉｐｅｄｉａ．ｏｒｇ／ｗｉｋｉ／ＨＤＭＩ）
【非特許文献３】ＷＨＤＩ規格（ｈｔｔｐ：／／ｊａ．ｗｉｋｉｐｅｄｉａ．ｏｒｇ／ｗｉｋｉ／ＷＨＤＩ）
【非特許文献４】Ｂ−ＣＡＳ（ＢＳ  Ｃｏｎｄｉｔｉｏｎａｌ  Ａｃｃｅｓｓ  Ｓｙｓｔｅｍｓ）
【発明の概要】
【発明が解決しようとする課題】
【０００６】以上述べたように、従来の有料放送受信機で受信した放送番組を別々の部屋に設置された複数のテレビで再生するには、受信信号を分配するケーブル工事や複数の有料放送受信契約（Ｂ−ＣＡＳ契約等）が必要となり、消費者にとって大きな経済的負担となっている。
本発明は受信信号を分配するケーブル工事や複数の有料放送受信契約なしに、別々の部屋に設置された複数のテレビがそれぞれ有料放送番組再生を実現することにある。
【課題を解決するための手段】
【０００７】本発明では、有料放送受信機にベースバンド受信信号を無線伝送する無線送信ユニットを内蔵させ、ベースバンド受信信号を従来の有線接続で１台目のディスプレイに出力するのに加え、無線で２台目のテレビに出力する。この無線出力信号を受信する機能を持つ２台目のテレビで有料放送番組を再生できる。【０００８】夫々のテレビで別番組を同時に再生する場合は、有料放送受信機を１系統のＢ−ＣＡＳ等の有料放送受信許諾システム、２系統の有料放送受信ユニット、２系統のデコーダで構成する。
【発明の効果】
【０００９】上述したように、本発明の有料放送受信機は受信した有料放送番組を離れた場所にある２台目のテレビに無線接続できるので、２台目のテレビは有料放送契約が不要、有料放送の電波伝送のケーブル配線工事も不要となり、消費者は大幅な費用を節約できる。
【図面の簡単な説明】
【００１０】
【図１】本発明のテレビ受信機の実施例を示す図
【図２】本発明のケーブルＳＴＢの実施例を示す図
【発明を実施するための形態】
【００１１】以下、本発明の実施の形態を図１〜図２に基づいて説明する
図１は本発明のテレビ受信機の実施例を示す図である。
１は親テレビ、２はＨＤＭＩ入力端子１２に接続されたケーブルＳＴＢ、３はＵＳＢインターフェイス１３に接続された放送番組記録再生用ＨＤＤ、４は子テレビ、５は親リモコン、６は子リモコン、７は子テレビ４のＨＤＭＩ入力端子に接続された無線受信ユニットである。
【００１２】親テレビ１は地上波デジタル／ＢＳ／ＣＳアンテナが接続されたアンテナ接続端子８、第１の受信ユニット９、第２の受信ユニット１０、Ｂ−ＣＡＳ１１、ＨＤＭＩ入力端子１２、ＵＳＢインターフェイス１３、第１のデコーダ１４、第２のデコーダ１５、第１のスイッチ１６、ディスプレイ１７、第２のスイッチ１８、第３のスイッチ１９、無線送信ユニット２０、システムコントロールユニット２１、ＩＲインターフェイス２２を具備する。
【００１３】次に親テレビ１が第２の受信ユニット１０で受信した番組をディスプレイ１７で再生中に、子テレビ４が第１のチューナユニット９で受信された番組あるいはケーブルＳＴＢ２で受信された番組あるいはＨＤＤ３で再生された番組を再生するケースを説明する。
【００１４】第２の受信ユニット１０とＢ−ＣＡＳ１１では、地上波デジタル／ＢＳ／ＣＳ放送が受信及び復号許諾され、第２の受信ユニット１０の出力にはＭＰＥＧストリーム信号が得られ、ＭＰＥＧストリーム信号が第２のデコーダ１５でベースバンド信号に変換され、第１のスイッチ１６を経由しディスプレイ１７で再生される。
【００１５】このケースでは、子リモコン６を操作することで、子テレビ４で第１の受信ユニット９で受信されるＢＳ・ＣＳ等の放送番組、ケーブルＳＴＢ２の受信番組、ＨＤＤ３に記録された番組を選択視聴できる。
【００１６】子リモコン６から送信された番組選択用ＩＲ（赤外線）信号は無線受信ユニット７で受信され、無線送信ユニット２０と無線受信ユニット７が持つ双方向データ通信回線を経由して、システムコントロールユニット２１に伝達される。システムコントロールユニット２１はチューナユニット９、Ｂ−ＣＡＳ１１，スイッチ１８、スイッチ１９を制御し、子テレビ４の再生番組をチューナユニット９の受信番組に選択する。
【００１７】子テレビ４で視聴する番組が第１の受信ユニット９とＢ−ＣＡＳ１１で受信及び復号許諾された番組に選択された場合、第１の受信ユニット９出力のＭＰＥＧストリーム信号は第２のスイッチ１８、第１のデコーダ１４、第３のスイッチ１９を経由し、無線送信ユニット２０に入力される。
【００１８】第１のデコーダ１４でベースバンド信号に変換された信号は無線送信ユニット２０でＷＨＤＩ規格等の無線信号に変換され送信され、無線受信ユニット７で受信及びベースバンド信号に戻され子テレビ４のＨＤＭＩ入力に出力される。
【００１９】同様に子テレビ４でＳＴＢ２の受信番組を視聴する場合は、子リモコン６で視聴番組としてＨＤＭＩ入力端子１２の信号を選択及びケーブルテレビのチャンネルを選択する。
子リモコン６の番組選択情報は無線受信ユニット７、親テレビ１の無線送信ユニット２０、システムコントロールユニット２１とＨＤＭＩ入力端子１２を経由し、ＨＤＭＩの双方向ＣＥＣデータとしてケーブルＳＴＢに伝達され、ＳＴＢ２の電源が入り、所望のチャンネルが選択される。
【００２０】ＳＴＢ２からの出力信号は親テレビ１のＨＤＭＩ入力端子１２、スイッチ１９、無線送信ユニット２０、無線受信ユニット７を経由し子テレビ４のＨＤＭＩ入力端子に出力される。
【００２１】同様に子テレビ４でＨＤＤ３に記録された番組を視聴する場合は、子リモコン６で視聴番組としてＨＤＤ３の出力信号を選択及び番組名を選択する。
子リモコン６からのコントロール信号は無線受信ユニット７、無線送信ユニット２０、システムコントロールユニット２１、ＵＳＢインターフェイス１３経由で、ＨＤＤ３に所望の番組を再生させる。
ＨＤＤ３からの再生信号はＵＳＢインターフェイス１３、スイッチ１８、デコーダ１４、スイッチ１９、無線送信ユニット２０、無線受信ユニット７を経由し子テレビ４のＨＤＭＩ入力端子に出力される。
【００２２】親テレビ１でＨＤＤ３に記録された番組を視聴する場合は、親リモコン５で視聴番組としてＨＤＤ３の出力信号を選択及び番組名を選択する。
親リモコン５からの番組選択情報はＩＲインターフェイス２２、システムコントロールユニット２１、ＵＳＢインターフェイス１３経由ＨＤＤ３に伝達される。
ＨＤＤで再生されたＭＰＥＧストリーム信号はＵＳＢインターフェイス１３、スイッチ１８経由でデコーダ１４に入力され、ベースバンド信号に戻された後、スイッチ１６経由ディスプレイ１７に入力される。
この場合、子リモコン６で第３のスイッチ１９を制御することで、テレビ４で自由に視聴できるのは地上波デジタル／ＢＳ／ＣＳ放送とケーブル放送番組となり、ＨＤＤ３からの再生番組は親テレビ１と同じ番組に限定される。
【００２３】親テレビ１でＳＴＢ２受信の番組を視聴する場合は、親リモコン５で視聴番組としてＳＴＢ２の出力信号を選択及び放送チャンネルを選択する。
親リモコン５からの番組選択情報はＩＲインターフェイス２２、システムコントロールユニット２１、ＨＤＭＩ入力端子１２経由ＳＴＢ２に伝達される。
ＳＴＢ２からの出力信号はテレビ１のＨＤＭＩ入力端子１２、スイッチ１６を経由しディスプレイ１７に入力される。
この場合、子テレビ４で自由に視聴できるのは地上波デジタル／ＢＳ／ＣＳ放送とＨＤＤ３の記録番組となり、ＳＴＢ２からの放送番組は親テレビ１と同じ番組に限定される。
【００２４】次に親テレビ１が第１の受信ユニット９の受信信号をＨＤＤ３に記録中の場合を説明する。
チューナユニット９出力のＭＰＥＧストリーム信号はＵＳＢインターフェイス１３を経由しＨＤＤ３に入力されＨＤＤに記録される。
この場合、第１の受信ユニット９のチャンネル選択は親テレビ１の選択が優先するので、子テレビ４で自由に視聴できるのはＨＤＤ３の記録番組とＳＴＢ２の放送番組となり、第１の受信ユニット９受信の放送番組はＨＤＤ３が記録中の番組に限定される。
第２の受信ユニット１０のチャンネル選択も親テレビ１の選択が優先するので、子テレビ４で視聴できるのは親テレビ１が選択した放送番組に限定される。
上記が留守番録画であれば、子テレビ４は第２の受信ユニット１０を使用でき、受信信号は第２のデコーダ１５、第３のスイッチ１９、無線送信ユニット２０、無線受信ユニット７経由で子テレビ４に出力される。
【００２５】図２は本発明のケーブルＳＴＢの実施例を示す図である。
２３はケーブルＳＴＢ、２４はＨＤＭＩ出力端子３８に接続された親テレビ、２５は無線受信ユニット、２６は子テレビ、２７は親リモコン、２８は子リモコンである。
【００２６】ケーブルＳＴＢ２３は有料放送ケーブルが接続されたケーブル接続端子２９、第１の受信ユニット３０、第２の受信ユニット３１、第１のデコーダ３２、第２のデコーダ３３、トランスコーダ３４、内蔵ＨＤＤ３５、第１のスイッチ３６、第２のスイッチ３７、第３のスイッチ４２、ＨＤＭＩ出力端子３８、無線送信ユニット３９、システムコントロールユニット４０、ＩＲインターフェイス４１を具備する。
【００２７】次に親テレビ２４が第２の受信ユニット３１で受信した番組を再生中に、子テレビ２６が第１の受信ユニット３０で受信された有料放送番組あるいはＨＤＤ３５に記録された番組を再生するケースを説明する。
第２の受信ユニット３１では、有料放送が受信及び復号許諾され、第２の受信ユニット３１の出力にはＭＰＥＧストリーム信号が得られ、ＭＰＥＧストリーム信号が第１のスイッチ３６経由第２のデコーダ３３でベースバンド信号に変換され、ＨＤＭＩ出力端子３８を経由し親テレビ２４に送出される。
【００２８】このケースでは、子リモコン２８を操作することで、子テレビ２６で第１の受信ユニット３０で受信される有料放送番組、ＨＤＤ３５に記録された番組を選択視聴できる。
子リモコン２８から送信された番組選択用ＩＲ（赤外線）信号は無線受信ユニット２５で受信され、無線送信ユニット３９と無線受信ユニット２５が持つ双方向データ通信回線を経由して、システムコントロールユニット４０に伝達される。システムコントロールユニット４０は第１の受信ユニット３０、第３のスイッチ４２、第２のスイッチ３７を制御し、子テレビ２６の再生番組を受信ユニット３０の受信番組に選択する。
【００２９】子テレビ２６で視聴する番組が第１の受信ユニット３０で受信及び復号許諾された番組に選択された場合、第１の受信ユニット３０出力のＭＰＥＧストリーム信号は第３のスイッチ４２、第１のデコーダ３２、第２のスイッチ３７を経由し、無線送信ユニット３９に入力され、ＷＨＤＩ規格等の無線信号に変換・送信され、無線受信ユニット２５で受信及びベースバンド信号に戻されテレビ２６のＨＤＭＩ入力に出力される。
【００３０】同様に子テレビ２６でＨＤＤ３５に記録された番組を視聴する場合は、子リモコン２８で視聴番組としてＨＤＤ３５の出力信号を選択及び番組名を選択する。
子リモコン２８からのコントロール信号が無線受信ユニット２５、無線送信ユニット３９、システムコントロールユニット４０経由で、ＨＤＤ３５に所望の番組を再生させる。
ＨＤＤ３５からの再生信号は第３のスイッチ４２、第１のデコーダ３２、第２のスイッチ３７、無線送信ユニット３９、無線受信ユニット２５を経由し子テレビ２６のＨＤＭＩ入力端子に伝達される。
【００３１】親テレビ２４でＨＤＤ３５に記録された番組を視聴する場合は、親リモコン２７で視聴番組としてＨＤＤ３５の出力信号を選択及び番組名を選択する。
親リモコン２７からの番組選択情報はＩＲインターフェイス４１、システムコントロールユニット４０経由ＨＤＤ３５に伝達される。
ＨＤＤ３５で再生されたＭＰＥＧストリーム信号は第１のスイッチ３６経由でデコーダ３３に入力され、ベースバンド信号に戻された後、ＨＤＭＩ出力端子３８経由親テレビ２４に入力される。この場合、子テレビ２６で自由に視聴できるのはケーブル放送番組となり、ＨＤＤ３５からの再生番組は親テレビ２４と同じ番組に限定される。
【００３２】次にＳＴＢ２３が受信ユニット３０の受信信号をＨＤＤ３５にＤＲモードで記録中の場合を説明する。第１の受信ユニット３０出力のＭＰＥＧストリーム信号がそのままランスコーダ３４経由しＨＤＤ３５に入力され、ＨＤＤ３５に記録される。
この場合、受信ユニット３０の番組選択は親リモコン２７の選択が優先するので、子テレビ２６で自由に視聴できるのはＨＤＤ３５の記録番組か第２の受信ユニット３１の受信番組となり、受信ユニット３０受信の放送番組はＨＤＤ３５が記録中の番組に限定される。
【００３３】子リモコン２８でＨＤＤ３５の再生及び番組名を選択すると、ＨＤＤ３５は記録しながら再生するモードになり、再生信号は第３のスイッチ４２経由で第１のデコーダ３２に入力され、ベースバンド信号に戻された後、第２のスイッチ３７、無線送信ユニット３９、無線受信ユニット２５を経由し、子テレビ２６に出力される。
【００３４】更にＳＴＢ２３が受信ユニット３０の受信信号をＨＤＤ３５にＨＧモード等のＤＲモード以外で記録中の場合を説明する。第１の受信ユニット３０出力のＭＰＥＧストリーム信号が第３のスイッチ４２を経由し、第１のデコーダ３２でベースバンド信号に戻された後、トランスコーダ３４でＨ．２６４ＡＶＣ等のストリーム信号に再エンコードされ、ＨＤＤ３５に記録される。
【００３５】この場合、受信ユニット３０の番組選択は親リモコン２７の選択が優先するので、子テレビ２６で自由に視聴できるのは第２の受信ユニット３１の受信番組となり、受信ユニット３０受信の放送番組はＨＤＤ３５が記録中の番組に限定される。
【００３６】以上のように、本実施形態によれば有料放送受信機に無線送信ユニットを内蔵させるだけで、別の部屋にある有料放送電波の分配もなく、有料放送契約もないテレビに有料放送を再生させることができ、消費者にとっては大きな節約ができるし、有料放送会社は割安な料金でマルチルームサービスを提供できる。
【符号の説明】
【００３７】１，２４  親テレビ
２，２３  ケーブルＳＴＢ
３，３５  放送番組記録再生用ＨＤＤ
４，２６  子テレビ
５，２７  親リモコン
６，２８  子リモコン
７，２５  無線受信ユニット
８，      アンテナ接続端子
９，３０  第１の受信ユニット
１０，３１  第２の受信ユニット
１１        Ｂ−ＣＡＳ
１２        ＨＤＭＩ入力端子
１３        ＵＳＢインターフェイス
１４，３２  第１のデコーダ
１５，３３  第２のデコーダ
１６，３６  第１のスイッチ
１７        ディスプレイ
１８，３７  第２のスイッチ
１９，４２  第３のスイッチ
２０，３９  無線送信ユニット
２１，４０  システムコントロールユニット
２２，４１  ＩＲインターフェイス
２９        ケーブル接続端子
３４        トランスコーダ
３８        ＨＤＭＩ出力端子
【図１】
2013090319.tif 000003
【図２】
2013090319.tif 000004